(57)【特許請求の範囲】
【請求項１】
ガスタービンの収着装置であって、
前記ガスタービンの吸気システムの内部に配置された、吸着剤を含んだメディアを含み、
前記吸着剤を含んだメディアは、１つ以上の吸着剤を含み、
気相汚染物質が前記吸着剤を含んだメディアによって流入空気から除去されるように、前記吸着剤を含んだメディアは、前記ガスタービンの前記吸気システムを介して通過する前記流入空気と接触するように構成されており、
前記ガスタービンの前記吸気システムの内部に配置された支持構造を含み、
前記支持構造は、中空の内部と前記吸着剤を含んだメディアとの間に前記支持構造を介して伸びる１つ以上の開口を有する前記中空の内部を実質的に画定する、
ガスタービンの収着装置。
【請求項２】
前記吸着剤を含んだメディアは、前記支持構造によって支持される、
請求項１に記載のガスタービンの収着装置。
【請求項３】
前記支持構造の前記中空の内部に対して取り付けられるブロワーを含み、
前記ブロワーは、空気を移動すると共に、前記中空の内部に負圧を作り出すように構成されている、
請求項１又は２に記載のガスタービンの収着装置。
【請求項４】
前記ブロワーは、前記支持構造の前記中空の内部を介して前記吸着剤を含んだメディアに向けて吸着剤を含んだ空気の流れを配送するように構成されている、
請求項３に記載のガスタービンの収着装置。
【請求項５】
前記支持構造は、実質的に固体状であり、非中空状である、
請求項２に記載のガスタービンの収着装置。
【請求項６】
前記支持構造に対して取り付けられた加熱装置を含む、
請求項２に記載のガスタービンの収着装置。
【請求項７】
前記加熱装置は、ジュール加熱によって前記支持構造を加熱するように構成されている、
請求項６に記載のガスタービンの収着装置。
【請求項８】
前記加熱装置は、前記ガスタービンからの高温の空気を含む、
請求項６に記載のガスタービンの収着装置。
【請求項９】
ガスタービンの収着装置であって、
前記ガスタービンの吸気システムの内部に配置された支持構造と、
前記支持構造に対して取り付けられると共に、前記支持構造を加熱するように構成された加熱装置と、
前記支持構造によって支持された、吸着剤を含んだメディアと、を含み、
気相汚染物質が前記吸着剤を含んだメディアによって流入空気から除去されるように、前記吸着剤を含んだメディアは、前記ガスタービンの前記吸気システムを介して通過する前記流入空気と接触するように構成されている、
ガスタービンの収着装置。
【請求項１０】
前記支持構造は、中空の内部と前記吸着剤を含んだメディアとの間に前記支持構造を介して伸びる１つ以上の開口を有する前記中空の内部を実質的に画定する、
請求項９に記載のガスタービンの収着装置。
【請求項１１】
前記支持構造の前記中空の内部に対して取り付けられるブロワーを含み、
前記ブロワーは、空気を移動すると共に、前記中空の内部に負圧を作り出すように構成されている、
請求項１０に記載のガスタービンの収着装置。
【請求項１２】
前記ブロワーは、前記支持構造の前記中空の内部を介して前記吸着剤を含んだメディアに向けて吸着剤を含んだ空気の流れを配送するように構成されている、
請求項１１に記載のガスタービンの収着装置。
【請求項１３】
前記加熱装置は、ジュール加熱によって前記支持構造を加熱するように構成されている、
請求項９に記載のガスタービンの収着装置。
【請求項１４】
前記加熱装置は、前記ガスタービンからの高温の空気を含む、
請求項９に記載のガスタービンの収着装置。
【請求項１５】
ガスタービンの吸気システムの内部にある気相汚染物質を除去する方法であって、
前記ガスタービンの前記吸気システムの内部にある１つ以上の吸着剤を含む、吸着剤を含んだメディアを設けるステップと、
前記吸着剤を含んだメディアを介して流入空気を通過させるステップと、
前記吸着剤を含んだメディアを用いて前記流入空気から前記気相汚染物質を除去するステップと、
前記吸着剤を含んだメディアから前記気相汚染物質を取り出すために、前記吸着剤を含んだメディアを加熱するステップと、
支持構造を用いて前記吸着剤を含んだメディアを支持するステップと、
前記吸着剤を含んだメディアから前記支持構造を介して中空の内部に向けて前記気相汚染物質を取り出すために、前記支持構造の前記中空の内部に負圧を作り出すステップと、
を含む方法。
【請求項１６】
前記吸着剤を含んだメディアを加熱するステップは、ジュール加熱によって前記支持構造を加熱することを含む、
請求項１５に記載の方法。
【請求項１７】
前記吸着剤を含んだメディアに吸着剤を含んだ空気の流れを配送するステップを含む、
請求項１６に記載の方法。
【発明の詳細な説明】
【技術分野】
【０００１】
関連出願の相互参照
本出願は、一般的にガスタービンの吸気システムに関するものであり、特に、吸気システムの内部の空気の流れから気相汚染物質を除去するための収着装置に関するものである。
【背景技術】
【０００２】
ガスタービンの吸気システムは、ガスタービンを通過する流体（例えば空気）を処理するのに一般的に用いられる。流体は、吸気システムの内部で伸びる１つ以上のフィルターエレメントで流体をろ過することによって処理され得る。従来、フィルターエレメントが、微粒子、及び／又は液ミストを除去していた。しかしながら、気相汚染物質は、フィルターエレメントのフィルタメディアを通過し、ガスタービンのコンプレッサ部まで移動していた。これらの気相汚染物質は、ガスタービンの性能の低下や、ガスタービンの羽根の腐食などを含む問題であって、これらに限定されない多くの問題を、ガスタービンの内部で引き起こしていた。よって、気相汚染物質を除去するガスタービンの吸気システムを提供することが必要であり、それは有益となるであろう。
【発明の概要】
【０００３】
以下、発明のいくつかの例示的な態様の基本的な理解を提供するために、発明の簡易な概要を示す。この概要は、発明の詳細な概要を示すものではない。さらに、この概要は、発明の重要な要素を特定することを意図するものではなく、また発明の範囲を説明することを意図するものではない。概要の唯一の目的は、後に示される詳細な説明の前置きとして、簡略化した形式で発明のいくつかの概念を示すことである。
【０００４】
１つの態様によれば、本発明は、ガスタービンの収着装置を提供する。収着装置は、ガスタービンの吸気システムの内部に配置された、吸着剤を含んだメディアを含む。吸着剤を含んだメディアは、１つ以上の吸着剤を含む。気相汚染物質が吸着剤を含んだメディアによって流入空気から除去されるように、吸着剤を含んだメディアは、ガスタービンの吸気システムを通過する流入空気と接触する。
【０００５】
別の態様によれば、本発明は、ガスタービンの収着装置を提供する。収着装置は、ガスタービンの吸気システムの内部に配置された支持構造を含む。収着装置は、支持構造に対して取り付けられて、支持構造を熱するように構成された加熱装置を含む。収着装置は、支持構造によって支持された、吸着剤を含んだメディアを含む。吸着剤を含んだメディアは、１つ以上の吸着剤を含む。気相汚染物質が吸着剤を含んだメディアによって流入空気から除去されるように、吸着剤を含んだメディアは、ガスタービンの吸気システムを通過する流入空気と接触する。
【０００６】
別の態様によれば、本発明は、ガスタービンの吸気システムの内部の気相汚染物質を取り除く方法を提供する。方法は、１つ以上の吸着剤を含む、吸着剤を含んだメディアをガスタービンの吸気システムの内部に設けるステップを含む。方法は、吸着剤を含んだメディアによって流入空気を通過するステップを含む。方法は、吸着剤を含んだメディアを用いて流入空気から気相汚染物質を除去するステップを含む。方法は、吸着剤を含んだメディアから気相汚染物質を取り出すために、吸着剤を含んだメディアを加熱するステップを含む。
【図面の簡単な説明】
【０００７】
本発明の上述のその他の態様は、添付図面に関して以下の説明を読むことで本発明が関連する当業者にとって明らかであろう。
【図１】本発明の１つの態様において、ガスタービンの例示的な吸気システムの全体的／図式的な図である。
【図２】図１の吸気システム用の吸着剤を含んだメディアを含む例示的な収着装置の斜視図である。
【図３】図２の３−３線による吸着剤を含んだ構造の１つの断面図である。
【図４】図１の吸気システム用の吸着剤を含んだメディアを含む第２の例示的な収着装置の斜視図である。
【図５】図４の５−５線による吸着剤を含んだ構造の１つの断面図である。
【図６】図１の吸気システム用の吸着剤を含んだメディアを含む第３の例示的な収着装置の斜視図である。
【図７】収着装置を備えるガスタービンにおける吸気システムの内部の気相汚染物質を除去する方法を説明するフローチャートである。
【発明を実施するための形態】
【０００８】
本発明の１つ以上の態様を包含する例示的な実施形態が記述され、図で示されている。これらの説明される例は、本発明を限定することを意図するものではない。例えば、本発明の１つ以上の態様が、他の実施形態や他の種類の装置でさえにも利用され得る。さらに、特定の専門用語は、便宜上本明細書で用いられるだけであり、本発明の限定として見なされない。また、図では、参照番号は、同じ要素を指定するのに用いられる。
【０００９】
図１は、発明の１つの態様に係る、例えばガスタービンのような装置に流体（例えば流入空気１２）を配送するための例示的な吸気システム１０を概略的に示す。吸気システム１０は、入口部１４を含むことができる。入口部１４が若干全体的に図１に示されていると、認識されるべきである。この全体的な説明は、図１に示された吸気システム１０の入口部１４が既知の構造、又は以下に記載されているような本発明の１つ以上の態様に応じた構造を示すことができる概念を伝えることを意図する。入口部１４は、吸気システム１０の上流の位置に設置され得る。入口部１４は、流入空気１２が吸気システム１０に流入できる開口を画定することができる。
【００１０】
入口部１４は、１つ以上のフード１６を含むことができる。フード１６は、入口部１４に流入し得る少なくともいくつかの材料及び／又は沈殿物を取り込むことから吸気システム１０を保護するのを助けるために、遮蔽機能を備えることができる。フード１６が取り込みから遮蔽できる、そのような材料の例は、雨、雪、葉、枝、動物、埃、微粒子等を含むことができるが、これに限られない。フード１６は、図示の例に限定されず、たくさんの異なるサイズ、形状、及び構造をとることができる。さらに、フード１６は、材料及び／又は沈殿物からある程度の衝撃力に耐えるように設計され得る。
【００１１】
また、例示的な吸気システム１０は、入口部１４と隣接して下流の位置に配置されたフィルタ部２０を含むことができる。フィルタ部２０が入口部１４から流入空気１２を受けることができるように、フィルタ部２０は入口部１４と流体連通し得る。フィルタ部２０は、実質的に開口を含むチャンバー２２を画定する。流入空気１２が流入して、チャンバー２２を介して流れることができるように、チャンバー２２は、実質的に中空状であり得る。
【００１２】
また、フィルタ部２０は、チャンバー２２の内部に配置された１つ以上のエアフィルタ２４ａ、２４ｂを含むことができる。流入空気１２は、フィルタ部２０を通過する流入空気１２として、エアフィルタ２４ａ、２４ｂによってろ過され得る。エアフィルタ２４ａ、２４ｂがフィルタ部２０の内部のあらゆる位置に配置され得るので、エアフィルタ２４ａ、２４ｂは破線で示されると、認識される。例えば、エアフィルタ２４ａ、２４ｂは、上流の位置（例えばエアフィルタ２４ａで示される）及び／又は下流の位置（例えばエアフィルタ２４ｂで示される）に配置され得る。実際に、図１に示されたエアフィルタ２４ａ、２４ｂの位置や個数は、エアフィルタ２４ａ、２４ｂのあらゆる位置及び／又は全個数を限定することを意図するものではない。
【００１３】
また、フィルタ部２０は、チャンバー２２の内部に配置された１つ以上の収着装置３０を含むことができる。説明を簡単にするため、且つ、フィルタ部２０の内部の収着装置３０の例示的な位置をより明確に示すために、収着装置３０が全体的／図式的に示されると、認識される。収着装置３０は、フィルタ部２０の内部における図示の位置に限定されず、他の例では、フィルタ部２０から上流及び／又は下流を含む、フィルタ部２０の内部のほぼあらゆる位置に配置され得る。いくつかの例では、収着装置３０は、エアフィルタ２４ｂから上流に配置される。他の例では、収着装置３０は、エアフィルタ２４ａから下流に配置される。収着装置３０が若干全体的に示されており、吸気システム１０が図示の例よりも多数又は少数の収着装置を含むことができたと、理解される。
【００１４】
流入空気１２は、流入空気１２から少なくとも部分的に吸着された／除去された気相汚染物質と一緒に、収着装置３０を通過する（例えば、接触して）ことができる。フィルタ部２０を出た後、流入空気１２は、排出する空気の流れ３４として、吸気システム１０を出る前に出口３２を通過することができる。その後、排出する空気の流れ３４は、ガスタービン３６に流入することができる（図１に全体的／図式的に示されている）。
【００１５】
次に図２を見ると、収着装置３０の例が示される。収着装置３０があらゆる可能性のある設計、構造等のいずれか１つだけを含むと、認識されるであろう。図２の収着装置３０（例えば、１つ以上の収着装置３０）は、ガスタービン３６の吸気システム１０におけるフィルタ部２０の内部に配置され得る。
【００１６】
収着装置３０は、１つ以上の吸着剤を含んだ構造４０を含むことができる。他の例では、あらゆる収着装置３０が想定されるが、図示の例では、収着装置３０は、全体的に相互に平行に伸びる３つの吸着剤を含んだ構造４０を含む。吸着剤を含んだ構造４０は、隣接した吸着剤を含んだ構造４０との間に延びる隙間４１（例えば、隙間、空間、または同様のもの）を画定するために、間隔を介して配置される。吸着剤を含んだ構造４０は、あらゆる配置を含む。いくつかの例では、吸着剤を含んだ構造４０は、第１端部４２と相対する第２端部４４との間において直線的に伸びる、それぞれ細長であって全体的に円筒形状の構造である。吸着剤を含んだ構造４０は、配置／形状に限定されず、他の例では、例えば、１つ以上の屈曲、起伏、角等を含むことによって非直線的に伸ばし得る。さらに、吸着剤を含んだ構造４０は、全体的に円筒形状を含むことに限定されず、他の例では、多角形、四角形状（例えば長方形、円形等）、卵形、または同様のものを含み得る。
【００１７】
次に図２、３に関して、図３は図２の３−３線による吸着剤を含んだ構造４０の１つの断面図である。吸着剤を含んだ構造４０の１つだけの断面図が示されているが、他の吸着剤を含んだ構造４０はサイズ、形状、及び構造が実質的に全く同じになり得ると、認識されるであろう。
【００１８】
吸着剤を含んだ構造４０は、支持構造５０を含むことができる。収着装置３０の一部である支持構造５０は、ガスタービン３６の吸気システム１０の内部に配置されている。いくつかの例では、支持構造５０は、例えばメッシュ状の材料で構成することにより、少なくとも部分的に多孔質である。支持構造５０の多孔性は、支持構造５０中に伸びる１つ以上の開口５２と一緒に、図３に全体的／図示的に示されている。しかしながら、動作中において、支持構造５０の間隙は、全体的／図示的に示された開口５２よりも小さく、及び／又はたくさんであり得る。一般的に、少なくともある程度の多孔性を有することによって、支持構造５０は、支持構造５０の中の開口５２を介して流体の流れ、空気の流れ、微粒子の流れ、または同様のものを許容する。
【００１９】
この例では、支持構造５０は、中空の内部５６を実質的に画定する支持壁５４を含む。支持構造５０の中空の内部５６は、支持構造５０の長手方向（例えば第１端部４２と第２端部４４との間）に沿って伸ばすことができる。支持壁５４は、金属材料（例えば鋼材）、プラスチック材（例えば焼結プラスチック）、繊維素材、高温ポリマーを有する材料等のあらゆる材料を含むが、これに限定されない。いくつかの例では、支持構造５０は、支持構造５０上で１つ以上の材料を支持するために、比較的硬質であり自己支持できる。他の例では、支持構造５０は、可撓性を有すると共に、少なくともある程度の動作、屈曲作用、及び／又は弾性を許容する。
【００２０】
吸着剤を含んだ構造４０は、吸着剤を含んだメディア６０を含むことができる。収着装置３０の一部である吸着剤を含んだメディア６０は、ガスタービン３６の吸気システム１０の内部に配置されている。いくつかの例では、吸着剤を含んだメディア６０が支持壁５４によって支持されるように、吸着剤を含んだメディア６０は、支持構造５０によって支持される。吸着剤を含んだメディア６０は、中空の内部５６の半径方向反対側にある支持壁５４の脇に支持され得る。例えば、いくつかの例では、開口５２は、一次側にある中空の内部５６と反対方向の二次側にある吸着剤を含んだメディア６０との相互間において支持構造５０を介して伸ばすことができる。吸着剤を含んだメディア６０は、例えばメディア／繊維に吸着剤を添加することによって（例えばスパッタリング、沈着等によって）、あらゆる方法で支持壁５４に適用され得る。
【００２１】
吸着剤を含んだメディア６０があらゆる構造を含むので、吸着剤を含んだメディア６０は図３に全体的／図示的に示されると、認識される。例えば、吸着剤を含んだメディア６０は、支持構造５０を少なくとも部分的に覆う吸着剤を含む。いくつかの例では、吸着剤を含んだメディア６０は、例えば沈着、コーティング、添加、スパッタリング、又は同様のもの等のあらゆる方法で支持構造５０に付着することができる。
【００２２】
吸着剤を含んだメディア６０は、ターゲットとされる液体及び／又は気体を吸着できる１つ以上の吸着剤を含む。吸着剤を含んだメディア６０は、例えば炭素等の吸着剤を含む。いくつかの例では、同種の気相汚染物質（例えば、図２に全体的／図示的に示された気相汚染物質１３）が流入空気１２から除去され得るように、吸着剤を含んだ構造４０は同一の吸着剤を含んだメディア６０（例えば炭素等）をそれぞれ含むことができる。しかしながら、他の可能性のある例では、収着装置３０は、異なる吸着剤を含んだメディア６０を含む異なる吸着剤を含んだ構造４０を有する、多重の吸着剤を含んだ構造４０を含むことができる。そのような例では、収着装置３０は、吸着剤を含んだメディア６０を構成する吸着剤の種類によって、流入空気１２から複数の異なる種類の気相汚染物質１３を除去できる。動作中において、気相汚染物質１３が吸着剤を含んだメディア６０によって流入空気１２から除去されるように、吸着剤を含んだメディア６０は、ガスタービン３６の吸気システム１０を介して通過する流入空気１２と接触することができる。
【００２３】
図２に関して、収着装置３０は、マニホルド７０を含むことができる。いくつかの例では、マニホルド７０は、支持構造５０、吸着剤を含んだメディア６０等を含む、吸着剤を含んだ構造４０を支持することができる。マニホルド７０は、第１マニホルド構造７２及び第２マニホルド構造７４を含むことができる。
【００２４】
第１マニホルド構造７２は、吸着剤を含んだ構造４０の第１端部４２に対して取り付けられている。１つの可能性のある例では、第１マニホルド構造７２は、例えば溶接、接着剤、機械的な係止構造、又は同様のもの等によって支持構造５０に取り付けられる。第１マニホルド構造７２は、吸着剤を含んだ構造４０（例えば、この例の中の３つ）の支持構造５０の各々にわたって伸びる長さを有することができる。ある例では、第１マニホルド構造７２は、全体的に中空状であり、吸着剤を含んだ構造４０が伸びる方向に実質的に直交する方向に全体的に直線状に伸びる。第１マニホルド構造７２は、それに限定されないが、他の例では、例えば１つ以上の屈曲、起伏、角等を含むことによって、非直線状の軸に沿って伸び得る。全体的に中空状であることによって、空気が第１マニホルド構造７２の内部と吸着剤を含んだ構造４０との相互間に流れることができるように、第１マニホルド構造７２は、吸着剤を含んだ構造４０の中空の内部５６と流体連通し得る。
【００２５】
第２マニホルド構造７４は、吸着剤を含んだ構造４０の第２端部４４に対して取り付けられている。１つの可能性のある例では、第２マニホルド構造７４は、例えば溶接、接着剤、機械的な係止構造、又は同様のもの等によって支持構造５０に取り付けられる。第２マニホルド構造７４は、吸着剤を含んだ構造４０（例えば、この例の中の３つ）の支持構造５０の各々にわたって伸びる長さを有することができる。ある例では、第２マニホルド構造７４は、全体的に中空状であり、吸着剤を含んだ構造４０が伸びる方向に実質的に直交する方向に全体的に直線状に伸びる。第２マニホルド構造７４は、それに限定されないが、他の例では、例えば１つ以上の屈曲、起伏、角等を含むことによって、非直線状の軸に沿って伸び得る。第２マニホルド構造７４は、吸着剤を含んだ構造４０の第２端部４４に位置させることを別にすれば、第１マニホルド構造７２と全体的に同様又は同一になり得る。全体的に中空状であることによって、空気が第２マニホルド構造７４の内部と吸着剤を含んだ構造４０との相互間に流れることができるように、第２マニホルド構造７４は、吸着剤を含んだ構造４０の中空の内部５６と流体連通し得る。
【００２６】
収着装置３０は、ブロワー７６を含むことができる。図示の例では、ブロワー７６は、第１マニホルド構造７２に対して取り付けられ得るが、他の例では、ブロワー７６は、第２マニホルド構造７４に対して取り付けられ得る。ブロワー７６が、例えばファン、エアムーバ、負圧マシン等のあらゆる空気の推進構造を含むことができると認識されるので、ブロワー７６は、若干全体的／図示的に示される。ブロワー７６が、第１マニホルド構造７２の中空の内部を介してブロワー７６に向けて吸着剤を含んだ構造４０の中空の内部５６から空気を移動できるように、ブロワー７６は、第１マニホルド構造７２の中空の内部と流体連通し得る。例えば、この例では、ブロワー７６は、支持構造５０の中空の内部５６に対して取り付けられる（例えば、第１マニホルド構造７２を介して）。
【００２７】
動作中において、ブロワー７６は、空気を移動できると共に、吸着剤を含んだ構造４０の中空の内部５６に負圧を作り出すことができる。１つの可能性のある例では、ブロワー７６は、吸着剤を含んだ構造４０の中空の内部５６から第１マニホルド構造７２を介して空気を引き込むことができる。吸着剤を含んだ構造４０を通る空気の流れ７８及び第１マニホルド構造７２を通る空気の流れ７９が矢印で図２に全体的／図示的に示されると、認識されるであろう。多孔質又は半多孔質（例えば開口５２を介して）である支持構造５０が原因で、空気は吸着剤を含んだメディア６０、開口５２、及び中空の内部５６を介して引き込まれる。
【００２８】
収着装置３０は、加熱装置８０を含むことができる。加熱装置８０があらゆるデザイン、構造等を含むと認識されるので、加熱装置８０は、全体的／図示的に示される。１つの可能性のある例では、加熱装置８０は、マニホルド構造の１つ（例えば、第１マニホルド構造７２又は第２マニホルド構造７４）を介して支持構造５０に対して取り付けられ得る。この例では、加熱装置８０は、例えば、マニホルド構造の１つ（例えば、第１マニホルド構造７２又は第２マニホルド構造７４）を介して支持構造５０に電流を通す電子装置を含むことができる。例えば、このように吸着剤を含んだメディア６０を同様に加熱させることで、導電性の支持構造５０を介する通電は、熱を放出することができる。他の加熱手段が想定されるが、この例では、加熱装置８０は、ジュール加熱によって支持構造５０を加熱することができる。
【００２９】
加熱装置８０は、前述の電子装置を含むことに限定されない。むしろ、他の例では、加熱装置８０は、支持構造５０及び吸着剤を含んだメディア６０を加熱させることができる、あらゆる装置を含むことができる。加熱装置８０が支持構造５０の中空の内部５６を介してこの高温の空気を配送するように、加熱装置８０は、温かい又は高温の空気の原因となり得る。例えば、支持構造５０及び吸着剤を含んだメディア６０は、加熱装置８０からの高温の空気が原因で、熱電導によって熱せられる。１つの可能性のある例では、高温の空気（例えば、ガスタービン３６の抽気熱）がガスタービン３６から収着装置３０へ配送されるように、高温の空気の原因はガスタービン３６を含み得る。
【００３０】
図２及び図３に関して、収着装置３０の作用が記載され得る。収着装置３０は、フィルタ２４から上流又は下流のいずれか一方に吸気システム１０の内部に配置され得る。いずれか一方の例では、収着装置３０は、流入空気１２の流路の内部に配置される。フィルタ２４は、流入空気１２から固体粒子、液体粒子、または同様のものを含む、あらゆる材料及び／又は汚染物質をろ過／除去することができる。
【００３１】
いくつかの例では、流入空気１２は、フィルタ２４によって十分に除去され得た気相汚染物質１３（図２に全体的／図示的に示された）を含む。これらの気相汚染物質１３は、例えば、ガスタービン３６の性能の低下及び／又は腐食の原因となり得る硫黄化合物、フッ化物化合物、塩素化合物、又は他の気相汚染物質を含み得る。収着装置３０は、流入空気１２から少なくともいくつかの気相汚染物質１３を除去することができる。特に、流入空気１２が収着装置３０の吸着剤を含んだ構造４０を通過して流れるので、吸着剤を含んだメディア６０の活性沈殿物（例えば、吸着剤）は、流入空気１２の内部に少なくともいくつかの気相汚染物質１３を吸収することができる。実際に、図２に示されるように、吸収された気相汚染物質１３ａは、吸着剤を含んだメディア６０の表面上で全体的／図示的に示される。したがって、流入空気１２は、流入空気１２の内部に存在する気相汚染物質１３の量を減らした収着装置３０を通過してガスタービン３６に向けて流れることができる。
【００３２】
ある期間が過ぎた後、吸着剤を含んだ構造４０によって吸収された気相汚染物質１３の飽和レベルに達すると、吸着剤を含んだ構造４０による気相汚染物質１３ａのそれ以上の吸収が低下する。このため、収着装置３０が気相汚染物質１３の吸収を継続することを許容するように、再生処理が行われ得る。再生処理中に、ブロワー７６は、中空の内部５６の中及び第１マニホルド構造７２の中の負圧を作り出すために、空気を移動することができる。例えば、少なくともいくつかの空気は、支持構造５０の開口５２（例えば間隙）を介して取引き出される。この時間中に、加熱装置８０は、支持構造５０及び吸着剤を含んだメディア６０を加熱させるように、支持構造５０に電流を流すことができる。少なくとも部分的にこの熱が原因で、吸着剤を含んだメディア６０上の吸収された汚染物質１３ａは、放出される（例えば、中空の内部５６の中でブロワー７６に向けて引き出されることによって）。
【００３３】
１つの可能性のある例では、吸着剤を含んだ構造４０が完全に再生される前に、この加熱は、約５〜１０分続けることができる。吸着剤を含んだ構造４０が再生されて、少なくともいくつかの吸収された気相汚染物質１３ａが吸着剤を含んだメディア６０から除去されるとすぐに、ブロワー７６及び／又は加熱装置８０の電源は消され得、流入空気１２から気相汚染物質１３の吸着が始め得る。
【００３４】
次に図４を参照すると、第２の例示的な収着装置１３０が示されている。第２の収着装置１３０があらゆる可能性のあるデザイン、構造等の１つだけを含むと、認識されるであろう。図４の第２の収着装置１３０は、ガスタービン３６における吸気システム１０のフィルタ部２０の内部に配置され得る。
【００３５】
第２の収着装置１３０は、１つ以上の吸着剤を含んだ構造１４０を含むことができる。
他の例では、あらゆる吸着剤を含んだ構造１４０が想定されるが、図示の例では、第２の収着装置１３０は、３つの吸着剤を含んだ構造１４０を含む。図２の例と同様に、吸着剤を含んだ構造１４０は、隣接した吸着剤を含んだ構造１４０との間に伸びている開口４１を画定するために間隔を置いて配置されている。さらに、あらゆるサイズ（例えば、長手、短手）、形状（例えば、多角形状、四角形状、長方形状、円形状、卵形状等）、及び／又は構造（例えば、１つ以上の屈曲、起伏、角を有する非直線状に伸びること等）が想定されるが、図２の例と同様に、吸着剤を含んだ構造１４０は、第１端部１４２及び反対方向の第２端部１４４との間に直線状に伸びる、長尺で全体的に円筒形状である構造となるように示される。
【００３６】
次に図４及び図５を参照すると、図５は、図４の５−５線による吸着剤を含んだ構造１４０の１つの断面図を示す。吸着剤を含んだ構造１４０の１つだけの断面図が示されているが、他の吸着剤を含んだ構造１４０は、サイズ、形状、及び構造と実質的に同一であり得ると、認識されるであろう。
【００３７】
吸着剤を含んだ構造１４０は、支持構造１５０を含むことができる。第２の収着装置１３０の一部である支持構造１５０は、ガスタービン３６の吸気システム１０の内部で配置される。この例では、支持構造１５０があらゆるデザイン／構造を含むが、支持構造１５０は、実質的に固体状であり、非中空状である。支持構造１５０は、金属材料（例えば鋼材等）、プラスチック材（例えば、焼結プラスチック）、繊維素材、高温ポリマーを有する材料等のあらゆる材料を含むが、これに限定されない。いくつかの例では、支持構造１５０は、支持構造１５０上に１つ以上の材料を支持するために、比較的硬質であり自己支持できる。他の例では、支持構造１５０は、可撓性を有すると共に、少なくともある程度の動作、屈曲作用、及び／又は弾性を許容する。
【００３８】
吸着剤を含んだ構造１４０は、吸着剤を含んだメディア６０を含むことができる。第２の収着装置１３０の一部である吸着剤を含んだメディア６０は、ガスタービン３６の吸気システム１０の内部で配置される。この例では、吸着剤を含んだメディア６０は、支持構造１５０によって支持される。吸着剤を含んだメディア６０が図２及び図３に関する上述された吸着剤を含んだメディア６０と全体的に同一であると、認識される。例えば、吸着剤を含んだメディア６０は、再び詳細に記載される必要がない。
【００３９】
図４に関して、第２の収着装置１３０は、マニホルド１７０を含むことができる。いくつかの例では、マニホルド１７０は、支持構造１５０（図５）、吸着剤を含んだメディア６０等を含む、吸着剤を含んだ構造１４０を支持することができる。マニホルド１７０は、第１マニホルド構造１７２及び第２マニホルド構造１７４を含むことができる。
【００４０】
第１マニホルド構造１７２は、吸着剤を含んだ構造１４０の第１端部１４２に対して取り付けられる。１つの可能性のある例では、第１マニホルド構造１７２は、溶接、接着剤、機械的な係止構造、又は同様のもの等によって支持構造１５０に取り付けられる。第１マニホルド構造１７２は、吸着剤を含んだ構造１４０（例えば、この例の中の３つ）の支持構造１５０の各々にわたって伸びる長さを有することができる。ある例では、第１マニホルド構造１７２は、全体的に中空状であり、吸着剤を含んだ構造１４０が伸びる方向に実質的に直交する方向に全体的に直線状に伸びる。他の例では、第１マニホルド構造１７２は、全体的に中空状であり得る。
【００４１】
第２マニホルド構造１７４は、吸着剤を含んだ構造１４０の第２端部１４４に対して取り付けられている。１つの可能性のある例では、第２マニホルド構造１７４は、例えば溶接、接着剤、機械的な係止構造、又は同様のもの等によって支持構造１５０に取り付けられる。第２マニホルド構造１７４は、吸着剤を含んだ構造１４０の支持構造１５０の各々にわたって伸びる長さを有することができる。ある例では、第２マニホルド構造１７４は、全体的に中空状であり、吸着剤を含んだ構造１４０が伸びる方向に実質的に直交する方向に全体的に直線状に伸びる。他の例では、第２マニホルド構造１７４は、全体的に中空状であり得る。
【００４２】
第２の収着装置１３０は、加熱装置８０を含むことができる。また、加熱装置８０があらゆるデザイン、構造等を含むと認識されるので、加熱装置８０は、全体的／図示的に示される。１つの可能性のある例では、加熱装置８０は、マニホルド構造の１つ（例えば、第１マニホルド構造１７２又は第２マニホルド構造１７４）を介して支持構造１５０に対して取り付けられ得る。加熱装置８０は、図２に関する上述された加熱装置８０と全体的に同一であるので、再び詳細に記載される必要がない。
【００４３】
図４及び図５に関して、第２の収着装置１３０の作用は記載され得る。第２の収着装置１３０は、フィルタ２４から上流又は下流のいずれか一方に吸気システム１０の内部に配置され得る。いずれか一方の例では、第２の収着装置１３０は、流入空気１２の流路の内部に配置される。フィルタ２４は、流入空気１２から固体粒子、液体粒子、または同様のものを含む、あらゆる材料及び／又は汚染物質をろ過／除去することができる。
【００４４】
気相汚染物質１３を含む流入空気１２が第２の収着装置１３０を通過して流れることができる。流入空気１２が吸着剤を含んだ構造１４０を通過して流れるので、吸着剤を含んだメディア６０の活性沈殿物（例えば、吸着剤）は、流入空気１２の内部に少なくともいくつかの気相汚染物質１３を吸収することができる。吸収された気相汚染物質１３ａは、吸着剤を含んだ構造１４０の表面上（例えば、吸着剤を含んだメディア６０上）で蓄積することができる。例えば、流入空気１２は、流入空気１２の内部に存在する気相汚染物質１３の量を減らした第２の収着装置１３０を通過して流れることができる。
【００４５】
ある期間が過ぎた後、吸着剤を含んだ構造１４０によって吸収された気相汚染物質１３ａの飽和レベルに達すると、吸着剤を含んだ構造１４０による気相汚染物質１３のそれ以上の吸収が低下する。このため、第２の収着装置１３０が気相汚染物質１３の吸収を継続することを許容するように、再生処理が行われ得る。再生処理中に、加熱装置８０は、支持構造１５０及び吸着剤を含んだメディア６０を加熱させるように、支持構造１５０に電流を流すことができる。
【００４６】
少なくとも部分的にこの熱が原因で、吸着剤を含んだメディア６０上の吸収された汚染物質１３ａが、放出される。１つの可能性のある例では、再生を支援して排気するために、オンライン水洗浄（例えば、ノズルのような供給装置を有する）が設けられ得る。そのような例では、水が、吸収された気相汚染物質１３ａを除去するために吸着剤を含んだメディア６０に導入される。吸収された気相汚染物質１３ａと結合された水は、気相汚染物質１３がガスタービン３６上にあり得るマイナスの影響を希釈することができる。いくつかの例では、圧縮機の水洗浄は、例えば圧縮機の腐食のような腐食を低減するために、ガスタービン３６上で誘発され得る。
【００４７】
次に図６を参照すると、第３の例示的な収着装置２３０が示されている。第３の収着装置２３０は、あらゆる可能性のあるデザインや構造等の中の１つだけを含むことが、認識されるであろう。図６の第３の収着装置２３０は、ガスタービン３６における吸気システム１０のフィルタ部２０の内部に配置され得る。
【００４８】
第３の収着装置２３０は、１つ以上の吸着剤を含んだ構造２４０を含むことができる。他の例では、あらゆる吸着剤を含んだ構造２４０が想定されるが、図示の例では、第３の収着装置２３０は、２つの吸着剤を含んだ構造２４０を含む。図２及び図４の例と同様に、２つの吸着剤を含んだ構造２４０は、隣接した吸着剤を含んだ構造２４０との間に伸びている開口４１を画定するために間隔を置いて配置されている。さらに、あらゆるサイズ（例えば、長手、短手）、形状（例えば、多角形状、四角形状、長方形状、円形状、卵形状等）、及び／又は構造（例えば、１つ以上の屈曲、起伏、角を有する非直線状に伸びること等）が想定されるが、図２及び図４の例と同様に、吸着剤を含んだ構造２４０は、第１端部２４２及び反対方向の第２端部２４４との間に直線状に伸びる、長尺で全体的に円筒形状である構造となるように示される。
【００４９】
この例では、第３の収着装置２３０の吸着剤を含んだ構造２４０は、図２及び図３の吸着剤を含んだ構造４０に対して全体的に同一である。例えば、吸着剤を含んだ構造２４０は、実質的に中空であり少なくとも部分的に多孔質である支持構造５０を含み得る。この例では、吸着剤を含んだ構造２４０は、開口５２、支持壁５４、中空の内部５６、及び吸着剤を含んだメディア６０（図３にそれぞれ示される）を含む。例えば、吸着剤を含んだ構造２４０は、再び詳細に記載される必要がない。
【００５０】
第３の収着装置２３０は、マニホルド２７０を含むことができる。いくつかの例では、マニホルド２７０は、支持構造５０、吸着剤を含んだメディア６０等を含む、吸着剤を含んだ構造２４０を支持することができる。マニホルド２７０は、第１マニホルド構造２７２及び第２マニホルド構造２７４を含むことができる。
【００５１】
第１マニホルド構造２７２は、吸着剤を含んだ構造２４０の第１端部２４２に対して取り付けられるが、第２マニホルド構造２７４は、吸着剤を含んだ構造２４０の第２端部２４４に対して取り付けられる。第１マニホルド構造２７２及び第２マニホルド構造２７４は、例えば溶接、接着剤、機械的な係止構造、又は同様のもの等を含むあらゆる方法で、吸着剤を含んだ構造２４０に取り付けられる。この例では、第１マニホルド構造２７２は、図２に図示された第１マニホルド構造７２と全体的に同一である。さらに、第２マニホルド構造２７４は、図２に図示された第２マニホルド構造７４と全体的に同一である。実際に、マニホルド構造２７２、２７４の各々は、全体的に中空状であり、吸着剤を含んだ構造２４０が伸びる方向に実質的に直交する方向に全体的に直線状に伸びる。
【００５２】
第３の収着装置２３０は、再生装置２８０を含むことができる。再生装置２８０は、マニホルド２７０の第１マニホルド構造２７２や第２マニホルド構造２７４に対して取り付けられ得る。ある例では、再生装置２８０は、第１管路２８２及び第２管路２８４を含むことができる。第１管路２８２は、流体が流れることができるチューブ、チャンネル、ダクト、又は他の密閉構造を画定する。第１管路２８２及び第１マニホルド構造２７２が流体連結されるので、第１管路２８２の端部は、第１マニホルド構造２７２に取り付けられ得る。第２管路２８４は、流体が流れることができるチューブ、チャンネル、ダクト、又は他の密閉構造を画定する。この例では、第２管路２８４及び第２マニホルド構造２７４が流体連結されるので、第２管路２８４の端部は、第２マニホルド構造２７４に取り付けられ得る。
【００５３】
再生装置２８０は、ブロワー２８６を含むことができる。ブロワー２８６は、第１管路２８２及び第２管路２８４に取り付けられ得る。ある例では、ブロワー２８６は、第１マニホルド構造２７２の反対側にある第１管路２８２の端部に取り付けられ得る。さらに、ブロワー２８６は、第２マニホルド構造２７４の反対側にある第２管路２８４の端部に取り付けられ得る。ブロワー２８６が、例えばファン、エアムーバ、負圧マシン等のあらゆる空気の推進構造を含むことができると認識されるので、ブロワー２８６は、若干全体的／図示的に示される。ブロワー２８６は、第１管路２８２及び第２管路２８４を介して、マニホルド構造２７２、２７４の中空の内部及び吸着剤を含んだ構造２４０の中空の内部５６と流体連結される。
【００５４】
再生装置２８０は、ブロワー２８６に動作的に取り付けられる吸着剤の供給部２８８を含むことができる。ある例では、吸着剤の供給部２８８は、ブロワー２８６に吸着剤（例えば、吸着剤を含んだガス、乾燥剤等）を配送することができる。吸着剤の供給部２８８があらゆるサイズ、形状、及び構造を含むので、吸着剤の供給部２８８は、全体的／図示的に示される。実際に、図の簡易化のために図６に描かれていないが、吸着剤の供給部２８８は、１つ以上のチューブ、パイプ、コンジット、又は同様のものを含むことができる。吸着剤の配送部２９０がチューブ、パイプ、コンジット等を介して配送され得るので、吸着剤の供給部２８８からブロワー２８６への吸着剤の配送部２９０が全体的／図示的に示されると、認識される。いくつかの可能性のある例では、吸着剤の供給部２８８は、吸着ガスを移動するための液状の吸着剤を含むことができる。
【００５５】
動作中において、第３の収着装置２３０は、フィルタ２４から上流又は下流のいずれか一方に吸気システム１０の内部に配置される。いずれか一方の例では、第３の収着装置２３０は、少なくともいくつかの気相汚染物質１３を除去するために、流入空気１２の流路の内部に配置される。図２に関する上述された同様の方法で、流入空気１２は、流入空気１２の内部に存在する気相汚染物質１３の量を減らした第３の収着装置２３０を通過してガスタービン３６に向けて流れることができる。
【００５６】
ある期間が過ぎた後、吸着剤を含んだ構造２４０によって吸収された気相汚染物質１３の飽和レベルに達すると、吸着剤を含んだ構造２４０による気相汚染物質１３のそれ以上の吸収が低下する。このため、第３の収着装置２３０が気相汚染物質１３の吸収を継続することを許容するように、再生処理が行われ得る。再生処理中に、ブロワー２８６は、吸着剤の配送部２９０の形式で吸着剤の供給部２８８から吸着剤（例えば、吸着剤を含んだガス、乾燥剤等）を受けることができる。ブロワー２８６は、第１管路２８２を介して第１マニホルド構造２７２に向けて吸着剤を含んだ空気の流れ２９４を作り出すために、空気を移動することができる。
【００５７】
この吸着剤を含んだ空気の流れ２９４は、第１マニホルド構造２７２から吸着剤を含んだ構造２４０における支持構造５０の中空の内部５６を介して流れることができる。いくつかの例では、中空の内部５６を介するこの空気の流れ（空気の流れ２７８のように矢印を用いて全体的／図示的に示された）は、中空の内部５６から開口５２（図３に図示された）を介して吸着剤を含んだメディア６０に向けて流れることができる。例えば、ブロワー２８６に吸着剤を配送する吸着剤の供給部２８８が原因で、これらの吸着剤は、吸着剤を含んだメディア６０を少なくとも部分的に再生するために、吸着剤を含んだメディア６０に向けて流れることができる。
【００５８】
空気は、吸着剤を含んだ構造２４０を介して流し続けることができ、空気（空気の流れ２７９のように矢印を用いて全体的、図示的に示された）は、吸着剤を含んだ構造２４０を存在し、第２マニホルド構造２７４に入る。ある例では、部分的に吸着剤を含んだメディア６０に流れた吸着剤が原因で、この空気の流れ２７９は、かなり小さい吸着剤（例えば、吸着剤を含んだガス、乾燥剤等）の割合を有し得る。空気の流れ２７９は、第２マニホルド構造２７４から第２管路２８４を介してブロワー２８６に向けて移動できる。少なくとも１つの例では、この空気の流れ２７９は、排気２９２としてブロワー２８６から出る。
【００５９】
再生処理は、吸着剤を含んだ構造２４０を少なくとも部分的に再生するために必要な多くの時間ほぼ続けることができる。いくつかの例では、図６に図示された再生処理は、約５分〜１０分続けることができる。吸着剤を含んだ構造２４０が再生されるとすぐに、ブロワー２８６の電源は消され得、流入空気１２から気相汚染物質１３の吸着が始め得る。図６に図示されるが、少なくとも１つの例では、第３の収着装置が再生処理中に役立つ加熱装置（例えば、加熱装置８０）を含み得ると、認識される。
【００６０】
図１から図６の収着装置３０、１３０、２３０は、たくさんの利益を供給する。例えば、収着装置３０、１３０、２３０は、吸気システム１０を介して通過する流入空気１２から気相汚染物質１３を除去することに用いられ得る。例えば、ガスタービンの性能が腐食を低減しながら改善するように、ガスタービン３６に流れる気相汚染物質１３の量は低減される。加えて、例えば性能を改善することにより、再生処理中に吸気システム１０及び／又はガスタービン３６の電源が消され、又は吸気システム１０及び／又はガスタービン３６がアイドリングする必要がなくなるように、収着装置３０、１３０、２３０は、少なくともある程度の再生を有する。
【００６１】
次に図７を参照すると、ガスタービン３６における吸気システム１０の内部の気相汚染物質１３を除去する例示的な方法７００が、図示されている。方法７００は、図１から図６に図示された収着装置３０、第２の収着装置１３０、及び／又は第３の収着装置２３０に関連して実行され得る。
【００６２】
方法７００は、ガスタービン３６における吸気システム１０のフィルタ部２０の内部にある少なくとも１つ以上の吸着剤を含む、吸着剤を含んだメディア６０を設けるステップ７０２を含む。図１に示されるように、吸着剤を含んだメディア６０（例えば、図２から図６に図示された）を含む収着装置３０、１３０、２３０は、フィルタ部２０の内部に配置され得る。収着装置３０、１３０、２３０は、エアフィルタ２４ａ、２４ｂから上流、及び／又は下流に設けられ得る。
【００６３】
方法７００は、吸着剤を含んだメディア６０によって流入空気１２を通過するステップ７０４を含む。図２、図４、及び図６に示されるように、収着装置３０、１３０、２３０は、吸着剤を含んだ構造４０、１４０、２４０を含む。吸着剤を含んだメディア６０は、吸着剤を含んだ構造４０、１４０、２４０の外表面を形成する。例えば、気相汚染物質１３を含む流入空気１２は、吸着剤を含んだメディア６０によって通過することができる。
【００６４】
方法７００は、吸着剤を含んだメディア６０を用いて流入空気１２から気相汚染物質１３を除去するステップ７０６を含む。図２、図４、及び図６に図示されるように、気相汚染物質１３は、吸着剤を含んだ構造４０、１４０、２４０の吸着剤を含んだメディア６０を通過して流れることができる。気相汚染物質１３が吸着剤を含んだメディア６０と接触して入ってくるので、少なくともいくつかの気相汚染物質１３は、吸着剤を含んだメディア６０の表面上に吸収される（例えば、吸収された汚染物質１３ａ）。例えば、吸収された汚染物質１３ａは、流入空気１２から除去される。
【００６５】
方法７００は、吸着剤を含んだメディア６０から気相汚染物質１３ａを取り出すために、吸着剤を含んだメディア６０を加熱するステップ７０８を含む。図２及び図４に図示さるように、収着装置３０、１３０は、加熱装置８０を含むことができる。加熱装置８０は、支持構造５０及び吸着剤を含んだメディア６０を加熱することができる。加熱装置８０は、例えばジュール加熱によって、吸着剤を含んだメディア６０に高温の空気を供給することによって、又は同様のもの等のあらゆる方法で、吸着剤を含んだメディア６０を加熱することができる。
【００６６】
発明は、上述した例示的な実施の形態に準拠して記載されている。改良及び変更は、本明細書の読解によって他のものを生じさせるであろう。発明の１つ以上の態様を包含する例示的な実施形態は、それらが添付の特許請求項の範囲内である限りにおいて、すべての上記改良及び変更を含むことを意図するものである。
【図１】
0006511456.tif 000002
【図２】
0006511456.tif 000003
【図３】
0006511456.tif 000004
【図４】
0006511456.tif 000005
【図５】
0006511456.tif 000006
【図６】
0006511456.tif 000007
【図７】
0006511456.tif 000008